【手続補正書】
【提出日】平成19年8月17日(2007.8.17)
【手続補正１】
【補正対象書類名】明細書
【補正対象項目名】特許請求の範囲
【補正方法】変更
【補正の内容】
【特許請求の範囲】
【請求項１】マルチチャネルの統計的多重送信エンコーダであって、
それぞれのデータソースを受信するためのそれぞれのバッファを有する複数のチャネルエンコーダと、
それぞれのデータソースを受信するためのそれぞれのバッファを有する日和見データプロセッサと、
輸送ストリームを形成するためにチャネルエンコーダ及び日和見データプロセッサから符号化データを受信するためのパケットマルチプレクサと、
パケットマルチプレクサと関連する量子化レベルプロセッサと、
から成り、
チャネルエンコーダ及び日和見データプロセッサはそれらの帯域幅要求パラメータを量子化レベルプロセッサへ送り、
量子化レベルプロセッサは、帯域幅要求パラメータにしたがって帯域幅割り当て及びグローバル量子化レベルをチャネルエンコーダ及び日和見データプロセッサへ与え、
チャネルエンコーダ及び日和見データプロセッサは、グローバル量子化レベル及びそれぞれの帯域幅割り当てにしたがってそれぞれのデータソースを符号化し、
日和見データプロセッサは、(a)グローバル量子化レベルの関数によってそれらの帯域幅要求をスケーリングすることによって、及び(b)閾値量子化レベルにしたがって、その帯域幅要求パラメータを生成し、
日和見データプロセッサは、その帯域幅要求パラメータを生成し、その結果グローバル量子化レベルが閾値量子化レベルを超えるとき日和見データプロセッサに対し本質的に帯域幅が割り当てられない、ところの装置。
【請求項２】請求項１に記載のエンコーダであって、前記日和見データプロセッサの前記帯域幅要求は日和見データプロセッサのバッファの充満レベル／サイズ比に応答する、ところの装置。
【請求項３】請求項１に記載のエンコーダであって、前記日和見データプロセッサの前記帯域幅要求は帯域幅要求パラメータの範囲によってスケールされる、ところの装置。
【請求項４】請求項３に記載のエンコーダであって、前記日和見データプロセッサの前記帯域幅要求は日和見データプロセッサのバッファの充満レベルに応答する、ところの装置。
【請求項５】請求項１に記載のエンコーダであって、日和見データプロセッサはその帯域幅要求パラメータを生成し、その結果グローバル量子化レベルが閾値量子化レベルより低いときのみ帯域幅が日和見データプロセッサに割り当てられる、ところの装置。
【請求項６】請求項１に記載のエンコーダであって、グローバル量子化レベルが連続的に大きくなるに従い、前記関数は日和見データプロセッサの帯域幅要求を連続的により減衰させる、ところの装置。
【請求項７】請求項１に記載のエンコーダであって、グローバル量子化レベルが増加するにしたがって、前記関数は単調に減少する、ところの装置。
【請求項８】請求項１に記載のエンコーダであって、グローバル量子化レベルが最小値へ向かって減少するに従い、前記関数は１の値へ向かって増加する、ところの装置。
【請求項９】請求項１に記載のエンコーダであって、グローバル量子化レベルはチャネルエンコーダの帯域幅要求パラメータの平均にしたがって決定される、ところの装置。
【請求項１０】請求項９に記載のエンコーダであって、チャネルエンコーダの帯域幅要求パラメータはそれらのローカル量子化レベルを示す、ところの装置。
【請求項１１】請求項１に記載のエンコーダであって、さらに  前記日和見データプロセッサを前記パケットマルチプレクサ及び前記量子化レベルプロセッサへ接続するためのインターフェースから成る装置。
【請求項１２】マルチチャネルの統計的多重送信エンコーダとともに使用するための日和見データプロセッサ装置であって、
それぞれのデータソースを受信するためのそれぞれのバッファを有する日和見データプロセッサと、
前記日和見データプロセッサがマルチチャネルの統計的多重送信エンコーダのパケットマルチプレクサ及び量子化レベルプロセッサと連結できるようにするためのインターフェースと、
から成り、
前記日和見データプロセッサは前記インターフェースを通じて量子化レベルプロセッサへ帯域幅要求パラメータを与え、それに応答して、前記インターフェースを通じて量子化レベルプロセッサから帯域幅割り当て及びグローバル量子化レベルを受信し、
前記日和見データプロセッサは、(a)グローバル量子化レベルの関数によってその帯域幅要求をスケールすることによって、及び(b)閾値量子化レベルにしたがってその帯域幅要求パラメータを生成し、
前記量子化レベルプロセッサはまた複数のチャネルエンコーダから帯域幅要求パラメータを受信し、それに応答して、複数のチャネルエンコーダに対し帯域幅割り当て及びグローバル量子化レベルを与え、
チャネルエンコーダ及び日和見データプロセッサは、グローバル量子化レベル及びそれぞれの帯域幅割り当てにしたがってそれぞれのデータソースを符号化し、
前記パケットマルチプレクサは、輸送ストリームを形成するために複数のチャネルエンコーダ及び日和見データプロセッサから符号化データを受信し、
日和見データプロセッサは、その帯域幅要求パラメータを生成し、その結果グローバル量子化レベルが閾値量子化レベルを超えるとき日和見データプロセッサに対し本質的に帯域幅が割り当てられない、ところの装置。
【請求項１３】請求項１２に記載の装置であって、前記日和見データプロセッサの前記帯域幅要求は日和見データプロセッサのバッファの充満レベル／サイズ比に応答する、ところの装置。
【請求項１４】請求項１２に記載の装置であって、前記日和見データプロセッサの前記帯域幅要求は帯域幅要求パラメータの範囲によってスケールされる、ところの装置。
【請求項１５】請求項１４に記載の装置であって、前記日和見データプロセッサの前記帯域幅要求は日和見データプロセッサのバッファの充満レベルに応答する、ところの装置。
【請求項１６】請求項１２に記載の装置であって、日和見データプロセッサはその帯域幅要求パラメータを生成し、その結果グローバル量子化レベルが閾値量子化レベルより低いときのみ帯域幅が日和見データプロセッサに割り当てられる、ところの装置。
【請求項１７】請求項１２に記載の装置であって、グローバル量子化レベルが連続的に大きくなるに従い、前記関数は日和見データプロセッサの帯域幅要求を連続的により減衰させる、ところの装置。
【請求項１８】請求項１２に記載の装置であって、グローバル量子化レベルが増加するにしたがって、前記関数は単調に減少する、ところの装置。
【請求項１９】請求項１２に記載の装置であって、グローバル量子化レベルが最小値へ向かって減少するに従い、前記関数は１の値へ向かって増加する、ところの装置。
【請求項２０】請求項１２に記載の装置であって、グローバル量子化レベルはチャネルエンコーダの帯域幅要求パラメータの平均にしたがって決定される、ところの装置。
【請求項２１】請求項２０に記載の装置であって、チャネルエンコーダの帯域幅要求パラメータはそれらのローカル量子化レベルを示す、ところの装置。
【請求項２２】請求項１２に記載の装置であって、前記インターフェースは前記マルチチャネルの統計的多重送信エンコーダのシャーシに差し込むカードによって与えられ、前記日和見データプロセッサは前記カード上に配置されている、ところの装置。
【請求項２３】請求項１２Ｓに記載の装置であって、前記日和見データプロセッサはマルチチャネルの統計的多重送信エンコーダの外部に与えられる、ところの装置。
【請求項２４】マルチチャネルの統計的多重送信エンコーダに対し日和見データケイパビリティを与えるための方法であって、
日和見データプロセッサにそれぞれのデータソースを受信するためのそれぞれのバッファを与える工程と、
日和見データプロセッサとパケットマルチプレクサとの間及び日和見データプロセッサと量子化レベルプロセッサとの間の通信が可能であるように、前記日和見データプロセッサをインターフェースを通じてマルチチャネルの統計的多重送信エンコーダのパケットマルチプレクサ及び量子化レベルプロセッサへ結合する工程と、
前記インターフェースを通じて日和見データプロセッサから量子化レベルプロセッサへ帯域幅要求パラメータを与え、それに応答して、日和見データプロセッサにおいてインターフェースを通じて量子化レベルプロセッサから帯域幅割り当て及びグローバル量子化レベルを受信する工程と、
日和見データプロセッサにおいて(a)グローバル量子化レベルの関数によってその帯域幅要求をスケールすることによって、及び(b)閾値量子化レベルにしたがって、帯域幅要求パラメータを生成する工程と、
量子化レベルプロセッサにおいて複数のチャネルエンコーダから帯域幅要求パラメータを受信し、それに応答して、複数のチャネルエンコーダに対し帯域幅割り当て及びグローバル量子化レベルを与える工程と、
チャネルエンコーダ及び日和見データプロセッサにおいて、グローバル量子化レベル及びそれぞれの帯域幅割り当てにしたがってそれぞれのデータソースを符号化する工程と、
輸送ストリームを形成するためにパケットマルチプレクサにおいて複数のチャネルエンコーダ及び日和見データプロセッサから符号化データを受信する工程と、
から成り、
日和見データプロセッサは、その帯域幅要求パラメータを生成し、その結果グローバル量子化レベルが閾値量子化レベルを超えるとき日和見データプロセッサに対し本質的に帯域幅が割り当てられない、ところの方法。